(57)【特許請求の範囲】
【請求項１】
映像を投射して被投影手段に表示させる投射型映像表示装置であって、
底面側に設けられる下側ケースと、上面側に設けられる上側ケースとを具備し、当該投射型映像表示装置の内部が露出される開口部が底面と前面に跨るように設けられた装置ケースと、
前記装置ケース内に開口部を介して着脱自在に設けられ、映像投射用の光を出射する光源ランプと、
前記開口部を覆うように取り付けられるカバー部材と、を備え、
前記下側ケースは、
その一端部が当該投射型映像表示装置の前面側に延出されてなり、前記前面側の端部に、前記装置ケースの外側に向けて突出された外側突出部が設けられ、
前記上側ケースは、
その一端部が前記前面側に延出されてなり、前記前面側の端部に、下向きに突出された下側突出部が設けられ、
前記カバー部材は、
前記底面と前記前面に跨るように形成され、
前記前面側の縁部の幅方向の長さが前記上側ケースの前面側の縁部の幅方向の長さと等しくされ、
前記前面側の縁部には、その先端部から前記下側突出部とほぼ等しい傾きで上向きに突出されて、前記下側突出部に係合する上側係合部と、前記上側係合部よりも下側部分から前記外側突出部とほぼ等しい傾きで前記装置ケースの内側に向けて突出されて、前記外側突出部に係合する内側係合部とが一体となって設けられ、前記底面側の縁部には、前記下側ケースの所定位置に係止される係止部が設けられ、
前記上側係合部は、前記内側係合部の両端から上側及び下側に延出しており、下側に延出した部分に挟まれるように前記外側突出部が係合されることを特徴とする投射型映像表示装置。
【請求項２】
映像を投射して被投影手段に表示させる投射型映像表示装置に備わり、その底面側に設けられる下側ケースと、前記投射型映像表示装置の上面側に設けられる上側ケースとを具備し、前記投射型映像表示装置の内部が露出される開口部が底面と前面に跨るように設けられた装置ケースに、前記開口部を覆うようにカバー部材を取り付けるためのカバー取付け構造であって、
前記下側ケースは、
その一端部が前記投射型映像表示装置の前面側に延出されてなり、前記前面側の端部に、前記装置ケースの外側に向けて突出された外側突出部が設けられ、
前記上側ケースは、
その一端部が前記前面側に延出されてなり、前記前面側の端部に、下向きに突出された下側突出部が設けられ、
前記カバー部材は、
前記底面と前記前面に跨るように形成され、
前記前面側の縁部の幅方向の長さが前記上側ケースの前面側の縁部の幅方向の長さと等しくされ、
前記前面側の縁部には、その先端部から前記下側突出部とほぼ等しい傾きで上向きに突出されて、前記下側突出部に係合する上側係合部と、前記上側係合部よりも下側部分から前記外側突出部とほぼ等しい傾きで前記装置ケースの内側に向けて突出されて、前記外側突出部に係合する内側係合部とが設けられ、前記底面側の縁部には、前記下側ケースの所定位置に係止される係止部が設けられ、
前記上側係合部は、前記内側係合部の両端から上側及び下側に延出しており、下側に延出した部分に挟まれるように前記外側突出部が係合されることを特徴とするカバー取付け構造。
【請求項３】
前記投射型映像表示装置には、映像投射用の光を出射する光源ランプが前記開口部を介して前記装置ケース内に着脱自在に設けられていることを特徴とする請求項２に記載のカバー取付け構造。
【請求項４】
前記上側係合部と前記内側係合部とは一体となって形成されていることを特徴とする請求項２又は３に記載のカバー取付け構造。
【発明の詳細な説明】
【技術分野】
【０００１】
本発明は、装置ケースにカバー部材を取り付けるためのカバー取付け構造及びこれを備えた投射型映像表示装置に関する。
【背景技術】
【０００２】
従来より、プロジェクターなどの投射型映像表示装置９００は、例えば、図９に示すように、光源ランプ９０１から出射された光をＤＭＤ等の光学素子９０２により変調し、光学レンズ９０３を通して投射することにより映像等をスクリーン上に表示するようになっている（例えば、特許文献１参照）。
また、投射型映像表示装置は、その装置ケース９０４の側面に、光源ランプ９０１等のメンテナンス等の際に、当該光源ランプ９０１を装置ケース９０４内に挿入したり離脱するための開口部９０５が設けられている。そして、この開口部９０５は、例えば、装置ケース９０４の所定位置に係合部９０６が係合されることでカバー部材９０７により塞がれるようになっている。
【特許文献１】特開２００４−３４７７８９号公報
【発明の開示】
【発明が解決しようとする課題】
【０００３】
ところで、光源ランプの挿脱用の開口部を投射型映像表示装置の前面に設けると、カバー部材と装置ケースの境目の部分が目立ってしまい、投射型映像表示装置の見た目が悪くなってしまうといった問題がある。
そこで、底面と前面などの二つの面に跨るような形状のカバー部材とすることにより、カバー部材と装置ケースの境目の部分をより目立たなくすることができることとなるが、カバー部材の面積が広くなると、当該カバー部材の装置ケースに対する取付けをより確実に行わなければ、ずれやがたつきが生じ易くなってしまう。ここで、カバー部材を装置ケースに対してビス止めするような構成とすると、投射型映像表示装置の見た目が悪くなるだけでなく、部品点数及び製造工程数が増加してしまうことから、製造コストが高騰してしまうといった問題が生じてしまう。
また、樹脂製のカバー部材は反りなどの変形が生じ易いため、かかる変形の防止は成形条件を調整する必要があり、その作業が煩雑であるといった問題もある。
【０００４】
そこで、本発明の課題は、より簡略な構造で装置ケースにカバー部材を確実に取り付けることができるカバー取付け構造及び投射型映像表示装置を提供することである。
【課題を解決するための手段】
【０００５】
上記課題を解決するため、請求項１に記載の発明は、
映像を投射して被投影手段に表示させる投射型映像表示装置であって、
底面側に設けられる下側ケースと、上面側に設けられる上側ケースとを具備し、当該投射型映像表示装置の内部が露出される開口部が底面と前面に跨るように設けられた装置ケースと、
前記装置ケース内に開口部を介して着脱自在に設けられ、映像投射用の光を出射する光源ランプと、
前記開口部を覆うように取り付けられるカバー部材と、を備え、
前記下側ケースは、
その一端部が当該投射型映像表示装置の前面側に延出されてなり、前記前面側の端部に、前記装置ケースの外側に向けて突出された外側突出部が設けられ、
前記上側ケースは、
その一端部が前記前面側に延出されてなり、前記前面側の端部に、下向きに突出された下側突出部が設けられ、
前記カバー部材は、
前記底面と前記前面に跨るように形成され、
前記前面側の縁部の幅方向の長さが前記上側ケースの前面側の縁部の幅方向の長さと等しくされ、
前記前面側の縁部には、その先端部から前記下側突出部とほぼ等しい傾きで上向きに突出されて、前記下側突出部に係合する上側係合部と、前記上側係合部よりも下側部分から前記外側突出部とほぼ等しい傾きで前記装置ケースの内側に向けて突出されて、前記外側突出部に係合する内側係合部とが一体となって設けられ、前記底面側の縁部には、前記下側ケースの所定位置に係止される係止部が設けられ、
前記上側係合部は、前記内側係合部の両端から上側及び下側に延出しており、下側に延出した部分に挟まれるように前記外側突出部が係合されることを特徴としている。
【０００６】
請求項２に記載の発明は、
映像を投射して被投影手段に表示させる投射型映像表示装置に備わり、その底面側に設けられる下側ケースと、前記投射型映像表示装置の上面側に設けられる上側ケースとを具備し、前記投射型映像表示装置の内部が露出される開口部が底面と前面に跨るように設けられた装置ケースに、前記開口部を覆うようにカバー部材を取り付けるためのカバー取付け構造であって、
前記下側ケースは、
その一端部が前記投射型映像表示装置の前面側に延出されてなり、前記前面側の端部に、前記装置ケースの外側に向けて突出された外側突出部が設けられ、
前記上側ケースは、
その一端部が前記前面側に延出されてなり、前記前面側の端部に、下向きに突出された下側突出部が設けられ、
前記カバー部材は、
前記底面と前記前面に跨るように形成され、
前記前面側の縁部の幅方向の長さが前記上側ケースの前面側の縁部の幅方向の長さと等しくされ、
前記前面側の縁部には、その先端部から前記下側突出部とほぼ等しい傾きで上向きに突出されて、前記下側突出部に係合する上側係合部と、前記上側係合部よりも下側部分から前記外側突出部とほぼ等しい傾きで前記装置ケースの内側に向けて突出されて、前記外側突出部に係合する内側係合部とが設けられ、前記底面側の縁部には、前記下側ケースの所定位置に係止される係止部が設けられ、
前記上側係合部は、前記内側係合部の両端から上側及び下側に延出しており、下側に延出した部分に挟まれるように前記外側突出部が係合されることを特徴としている。 
【０００７】
請求項３に記載の発明は、請求項２に記載のカバー取付け構造において、
前記投射型映像表示装置には、映像投射用の光を出射する光源ランプが前記開口部を介して前記装置ケース内に着脱自在に設けられていることを特徴としている。
【０００８】
請求項４に記載の発明は、請求項２又は３に記載のカバー取付け構造において、
前記上側係合部と前記内側係合部とは一体となって形成されていることを特徴としている。
【発明の効果】
【０００９】
請求項１に記載の発明によれば、底面と前面に跨るように形成されたカバー部材の前面側の縁部には、その先端部から上側ケースの下側突出部とほぼ等しい傾きで上向きに突出されて、下側突出部に係合する上側係合部と、上側係合部よりも下側部分から下側ケースの外側突出部とほぼ等しい傾きで装置ケースの内側に向けて突出されて、外側突出部に係合する内側係合部とが設けられているので、上側係合部を下側突出部に係合させるとともに内側係合部を外側突出部に係合させるようにしてカバー部材を装置ケースに取り付けることができる。さらに、カバー部材の底面側の縁部には、下側ケースの所定位置に係止される係止部が設けられているので、係止部によりカバー部材を装置ケースに確実に取り付けることができる。即ち、上側係合部を下側突出部に係合させることによりカバー部材が前側に移動することを防止することができ、また、内側係合部を外側突出部に係合させることにより、当該カバー部材が下側に移動することを防止することができる。
従って、カバー部材と装置ケースの境目の部分を目立たせることなく、より簡略な構造で装置ケースにカバー部材を確実に取り付けることができる。
これによって、映像投射用の光を出射する光源ランプを開口部を介して装置ケース内に着脱させる際に、カバー部材の装置ケースに対する取付けをより簡便に行うことができることとなって、作業性を向上させることができる。
また、上側係合部と内側係合部とは一体となって形成されているので、カバー部材の構造をより簡略化することができることとなって、装置コストの低減を図ることができる。
【００１０】
請求項２に記載の発明によれば、投射型映像表示装置の底面と前面に跨るように形成されたカバー部材の前面側の縁部には、その先端部から上側ケースの下側突出部とほぼ等しい傾きで上向きに突出されて、下側突出部に係合する上側係合部と、上側係合部よりも下側部分から下側ケースの外側突出部とほぼ等しい傾きで装置ケースの内側に向けて突出されて、外側突出部に係合する内側係合部とが設けられているので、上側係合部を下側突出部に係合させるとともに内側係合部を外側突出部に係合させるようにしてカバー部材を装置ケースに取り付けることができる。さらに、カバー部材の底面側の縁部には、下側ケースの所定位置に係止される係止部が設けられているので、係止部によりカバー部材を装置ケースに確実に取り付けることができる。即ち、上側係合部を下側突出部に係合させることによりカバー部材が前側に移動することを防止することができ、また、内側係合部を外側突出部に係合させることにより、当該カバー部材が下側に移動することを防止することができる。
従って、カバー部材と装置ケースの境目の部分を目立たせることなく、より簡略な構造で装置ケースにカバー部材を確実に取り付けることができる。
【００１１】
請求項３に記載の発明によれば、請求項２に記載の発明と同様の効果が得られるのは無論のこと、特に、投射型映像表示装置には、映像投射用の光を出射する光源ランプが開口部を介して装置ケース内に着脱自在に設けられているので、光源ランプの着脱に際して、カバー部材の装置ケースに対する取付けをより簡便に行うことができることとなって、作業性を向上させることができる。
【００１２】
請求項４に記載の発明によれば、請求項２又は３に記載の発明と同様の効果が得られるのは無論のこと、特に、上側係合部と内側係合部とは一体となって形成されているので、カバー部材の構造をより簡略化することができることとなって、装置コストの低減を図ることができる。
【発明を実施するための最良の形態】
【００１３】
以下に、本発明について、図面を用いて具体的な態様を説明する。ただし、発明の範囲は、図示例に限定されない。
図１は、本発明を適用した投射型映像表示装置の好適な一例として例示する一実施形態のプロジェクター１００を上面側から見て示した斜視図であり、図２は、プロジェクター１００を底面側から見て示した斜視図である。また、図３は、プロジェクター１００のカバー部材４を取り外した状態を底面側から見て示した斜視図である。
なお、図１〜図３にあっては、光学レンズ１が設けられた側を前面部側として説明する。
【００１４】
本実施形態のプロジェクター（投射型映像表示装置）１００は、例えば、パーソナルコンピュータやピデオカメラ等の外部機器（図示略）から入力された映像データに基づいて、映像投射用の光源ランプ（図示略）から出射された光をＤＭＤ等の光学素子（図示略）により変調し、光学レンズ１を通して投射することにより映像等を前方に設けられたスクリーン（被投影手段；図示略）などに拡大して投影する装置である。
具体的には、例えば、図１〜図３等に示すように、プロジェクター１００は、前面部２側に光学レンズ１を露出させるとともに、内側に当該プロジェクター１００としての各種の動作処理を実現する構成要素（図示略）が搭載される装置ケース３と、装置ケース３に取り付けられてその下側ケース３１（後述）に形成された開口部３１２ｂを覆い、且つ、装置ケース３の上面ケース（後述）とともにプロジェクター１００の前面部２を構成する樹脂製のカバー部材４とを備えている。
【００１５】
装置ケース３は、例えば、プロジェクター１００の略平面状の底面部５を構成する下側ケース３１と、当該プロジェクター１００の上面部６を構成する上側ケース３２とを具備している。
【００１６】
上側ケース３２は、例えば、緩やかに湾曲して形成された上面部６と、この上面部６の前面部２側の部分から下向きに延出されてカバー部材４のカバー前面部構成部４２とともに前面部２を構成するケース前面部構成部３２１とを具備している。
【００１７】
上面部６の光学レンズ１の略直上に位置する部分、即ち、図１における右側部分には、スイッチ７を露出させるスイッチ用開口部６１が形成されている。
【００１８】
ケース前面部構成部３２１の先端部は、例えば、前面部２の高さ方向の略半分の位置まで延出されてなり、その縁部分には、正面（前面）視にて、略水平に延在するケース直線状部３２１ａと、光学レンズ１の外形状に対応させて略半円状に形成されたケース円弧状部３２１ｂとが設けられている。
ケース直線状部３２１ａのケース円弧状部３２１ｂ側の端部は、前面部２からより手前側に突き出るように配設された光学レンズ１に対応させて、平面（正面）視にて前側に湾曲するような形状に形成されている。
【００１９】
また、ケース前面部構成部３２１の先端縁部の所定位置、例えば所定間隔を空けた３箇所には、略垂直に下向きに突出され、カバー部材４の上側係合部４４２が係合される下側突出部（図７参照）３２２、…が設けられている。
具体的には、下側突出部３２２は、ケース前面部構成部３２１の内面から上側係合部４４２の形状に対応させて所定の深さ座刳られるようにして形成されており、内面に連続して形成された略水平な上側ケース水平面部３２２ａと、この上側ケース水平面部３２２ａの前側の端部に連続して形成された略垂直な上側ケース垂直面部３２２ｂとを具備している。
なお、下側突出部３２２とカバー部材４の上側係合部４４２との係合動作等については後述する。
【００２０】
下側ケース３１は、例えば、略平面状に形成され、カバー部材４のカバー底面部構成部４１（後述）とともに底面部５を構成するケース底面部構成部３１１と、このケース底面部構成部３１１の前側の端部に連続して設けられ、装置ケース３内に着脱自在に設けられた光源ランプの挿脱用の開口部３１２ｂを有するとともにカバー部材４が取り付けられるカバー部材取付部３１２とを具備している。
【００２１】
ケース底面部構成部３１１は、例えば、底面部５の前後方向の略半分の位置まで延出されている。
カバー部材取付部３１２は、例えば、ケース底面部構成部３１１と反対側の先端部がプロジェクター１００の前面部２側にて上側ケース３２の先端部にほぼ対向する位置まで延出されてなり、カバー部材４が取り付けられることでプロジェクター１００の外端面と略面一となるように、外端面からカバー部材４の厚さに応じて所定の深さ座刳られた座ぐり部３１２ａと、図示しない光源ランプの位置に対応させて、例えば図３における右側に形成され、当該プロジェクター１００の内部が露出される開口部３１２ｂとを具備している。
【００２２】
また、カバー部材取付部３１２のケース底面部構成部３１１側の縁部分の所定位置、例えば所定間隔を空けた２箇所には、カバー部材４の係止部４３（図５参照；後述）が挿通される孔部３１２ｃ、３１２ｃが形成されており、この孔部３１２ｃに係止部４３が挿入されて孔部３１２ｃの縁部分に係止されるようになっている（図８参照；詳細後述）。
【００２３】
さらに、カバー部材取付部３１２の先端部の所定位置、例えば上側ケース３２の３つの下側突出部３２２、…に対応する位置には、装置ケース３の外側に向けて略水平に突出され、カバー部材４の内側係合部４４１が係合される外側突出部３１３が設けられている。
具体的には、外側突出部３１３は、カバー部材取付部３１２の外面部の先端よりもわずかに下側から内側係合部４４１の形状に対応させて所定の長さ突出するように形成されている（図７参照）。
なお、外側突出部３１３とカバー部材４の内側係合部４４１との係合動作等については後述する。
【００２４】
次に、カバー部材４について、図４〜図８を参照して詳細に説明する。
ここで、図４は、カバー部材４を示した斜視図であり、図５は、カバー部材４を図４と異なる方向から見て示した斜視図である。また、図６は、カバー部材４の要部を拡大して示した斜視図である。また、図７は、装置ケース３とカバー部材４との係合状態を説明するための図であり、図８は、下側ケース３１に対するカバー部材４の取付状態を説明するための図である。
なお、図５にあっては、抜止部４３３の図示を省略している。
【００２５】
カバー部材４は、底面部５と前面部２に跨るように形成され、具体的には、例えば、略平面状に形成され、下側ケース３１のケース底面部構成部３１１とともに底面部５を構成するカバー底面部構成部４１と、このカバー底面部構成部４１の前面側の部分から上向きに湾曲して延出されて上側ケース３２のケース前面部構成部３２１とともに前面部２を構成するとカバー前面部構成部４２とを具備している。
【００２６】
カバー底面部構成部４１のケース底面部構成部３１１側の縁部分の所定位置、例えば下側ケース３１の２つの孔部３１２ｃに対応する位置には、当該孔部３１２ｃに挿通されてその縁部分に係止される係止部４３が設けられている。
係止部４３は、例えば、図８に示すように、断面Ｕ字状に形成され弾性力を有するＵ字部４３１と、このＵ字部４３１の先端部から略水平に延出された係止部水平部４３２と、この係止部水平部４３２よりもわずかに下側にて係止部水平部４３２とともに当該係止部４３の抜け止めを行う抜止部４３３とを具備している。
抜止部４３３は、例えば、略水平な上面部とこの上面部に対して傾斜して形成された傾斜面部を有する断面略三角形状に形成されており、傾斜面部により係止部４３の孔部３１２ｃに対する挿通を滑らかに行うことができるとともに、係止部４３が孔部３１２ｃに挿通されると上面部及び係止部水平部４３２が孔部３１２ｃの縁部分に引っ掛かった状態となって抜け止めされるようになっている。
また、係止部４３を孔部３１２ｃから離脱させる場合には、Ｕ字部４３１を縮める方向に押圧することで抜止部４３３による抜け止めが解除されることとなる。
【００２７】
カバー前面部構成部４２の先端部は、例えば、前面部２の高さ方向の略半分の位置まで延出されてなり、その縁部分には、ケース前面部構成部３２１と同様に、正面（前面）視にて、略水平に延在するカバー直線状部４２ａと、光学レンズ１の外形状に対応させて略半円状に形成されたカバー円弧状部４２ｂが設けられている。
カバー直線状部４２ａのカバー円弧状部４２ｂ側の端部は、ケース前面部構成部３２１と同様に、前面部２からより手前側に突き出るように配設された光学レンズ１に対応させて、平面（正面）視にて前側に湾曲するような形状に形成されている。
【００２８】
また、カバー前面部構成部４２の先端縁部の所定位置、例えば上側ケース３２の下側突出部３２２及び下側ケース３１の外側突出部３１３に対応する位置には、上側係合部４４２及び内側係合部４４１を有するケース係合部４４が設けられている（図５及び図６参照）。
【００２９】
ケース係合部４４は、具体的には、カバー前面部構成部４２の内面の所定位置、例えば略先端部から略水平に（外側突出部３１３とほぼ等しい傾きで）奥側（装置ケース３の内側）に向けて突出され、外側突出部３１３に係合する内側係合部４４１と、この内側係合部４４１の先端部の幅方向側の両端部から略垂直に（下側突出部３２２とほぼ等しい傾きで）上向きに突出されて、下側突出部３２２に係合する２つの上側係合部４４２、４４２とを一体に備えて構成されている。
内側係合部４４１は、例えば、外側突出部３１３の上面が接触される略水平な下面を有している。また、内側係合部４４１の突出長は、例えば、その先端部が装置ケース３にカバー部材４が取り付けられた状態で外側突出部３１３の先端よりも奥側に位置するような長さである。
上側係合部４４２は、例えば、下側突出部３２２の上側ケース垂直面部３２２ｂが接触される略垂直な前面を有している。また、上側係合部４４２の突出長は、例えば、その先端部が装置ケース３にカバー部材４が取り付けられた状態で下側突出部３２２の先端よりも上側に位置するような長さである。
これにより、装置ケース３にカバー部材４が取り付けられた状態で、上側係合部４４２と下側突出部３２２との係合及び内側係合部４４１と外側突出部３１３との係合が解除されないようになっている。
【００３０】
次に、カバー部材４の装置ケース３に対する着脱動作について説明する。
先ず、上側ケース３２及び下側ケース３１に対してカバー部材４を取り付ける場合には、上側ケース３２のケース前面部構成部３２１の先端部と下側ケース３１のカバー部材取付部３１２の先端部との隙間にカバー部材４の各上側係合部４４２を差し込むようにカバー部材４を所定方向に移動させて、各上側係合部４４２を各下側突出部３２２に係合させる。次に、カバー部材４をカバー部材取付部３１２に近づける方向に回動させて、カバー部材４の各内側係合部４４１をカバー部材取付部３１２の各外側突出部３１３に係合させる（図７参照）。
続けて、カバー部材４をカバー部材取付部３１２に近づける方向にさらに回動させて、カバー部材４の各係止部４３を下側ケース３１のカバー部材取付部３１２の各孔部３１２ｃに挿入して、抜止部４３３の上面部及び係止部水平部４３２を孔部３１２ｃの縁部分に係合させる。
これにより、装置ケース３にカバー部材４が取り付けられた状態となる。このとき、装置ケース３の上側ケース３２のケース前面部構成部３２１の先端部とカバー部材４のカバー前面部構成部４２の先端部との対向する部分（境目の部分）は、前面部２の略中央にて一の直線状部を構成することとなって、カバー部材４及びケース係合部４４の境目の部分が目立たないこととなる。
【００３１】
次に、装置ケース３に取り付けられているカバー部材４を取り外す場合には、先ず、各係止部４３の抜止部４３３のＵ字部４３１を縮める方向に押圧することで抜止部４３３による抜け止めを解除して、カバー部材４をカバー部材取付部３１２から遠ざける方向に回動させることで、各係止部４３を各孔部３１２ｃから離脱させる。
続けて、カバー部材４をカバー部材取付部３１２から遠ざける方向にさらに回動させることにより、内側係合部４４１と外側突出部３１３との係合が解除され、上側係合部４４２をケース前面部構成部３２１の先端部とカバー部材取付部３１２の先端部との隙間から引き抜くようにカバー部材４を所定方向に移動させる。
これにより、装置ケース３からカバー部材４が取り外された状態となる。
【００３２】
なお、上記のカバー部材４の装置ケース３に対する着脱動作にあっては、カバー部材４に対して装置ケース３を所定方向に移動させるようにしても良い。
【００３３】
以上のように、本実施形態のプロジェクター１００によれば、底面部５と前面部２に跨るように形成されたカバー部材４であっても、上側係合部４４２を下側突出部３２２に係合させるとともに内側係合部４４１を外側突出部３１３に係合させるようにして装置ケース３に取り付けることができる。これにより、上側ケース３２のケース前面部構成部３２１の先端部とカバー部材４のカバー前面部構成部４２の先端部との対向する部分は、前面部２の略中央にて一の直線状部を構成することとなって、カバー部材４及びケース係合部４４の境目の部分を目立たせずに、意匠性に優れたプロジェクター１００を提供することができる。さらに、係止部４３によりカバー部材４を装置ケース３に確実に取り付けることができる。即ち、上側係合部４４２を下側突出部３２２に係合させることにより樹脂製のカバー部材４が反りなどの変形により前側に移動することを防止することができ、また、内側係合部４４１を外側突出部３１３に係合させることにより、当該カバー部材４が下側に移動することを防止することができる。
従って、カバー部材４と装置ケース３の境目の部分を目立たせることなく、より簡略な構造で装置ケース３にカバー部材４をずれやがたつきを生じさせずに確実に取り付けることができる。
これによって、例えば、映像投射用の光を出射する光源ランプの着脱等のメンテナンスに際して、カバー部材４の装置ケース３からの取り外し及び装置ケース３に対する取付けをより簡便に行うことができることとなって、メンテナンスの作業性を向上させることができる。
【００３４】
また、上側係合部４４２と内側係合部４４１とは一体となって形成されてケース係合部４４を構成しているので、カバー部材４の構造をより簡略化することができることとなって、装置コストの低減を図ることができる。
【００３５】
なお、本発明は、上記実施形態に限定されることなく、本発明の趣旨を逸脱しない範囲において、種々の改良並びに設計の変更を行っても良い。
例えば、プロジェクター１００は、上側係合部４４２と内側係合部４４１とが一体となって構成されたケース係合部４４を備えるようにしたが、これに限られるものではなく、例えば、上側係合部４４２と内側係合部４４１とは別体で構成されていても良い。
【００３６】
また、上記実施形態におけるプロジェクター１００の装置ケース３やカバー部材４等の各部の形状等は一例であり、これに限定されるものではない。
例えば、上記実施形態では、装置ケース３とカバー部材４との境目の部分は、前面部２の略中央にて一の直線状部を構成するような形状としたが、これに限られるものではなく、当該境目の部分が目立たないような形状であれば如何なる形状であっても良い。
【図面の簡単な説明】
【００３７】
【図１】本発明を適用した投射型映像表示装置の好適な一例として例示する一実施形態のプロジェクターを上面側から見て示した斜視図である。
【図２】図１のプロジェクターを底面側から見て示した斜視図である。
【図３】図１のプロジェクターのカバー部材を取り外した状態を底面側から見て示した斜視図である。
【図４】図１のプロジェクターに備わるカバー部材を示した斜視図である。
【図５】図４のカバー部材を図４と異なる方向から見て示した斜視図である。
【図６】図５のカバー部材の要部を拡大して示した斜視図である。
【図７】図１のプロジェクターの装置ケースとカバー部材との係合状態を説明するための図である。
【図８】図７の装置ケースの下側ケースに対するカバー部材の取付状態を説明するための図である。
【図９】従来のプロジェクターを示す斜視図である。
【符号の説明】
【００３８】
１００    プロジェクター（電子機器）
２        前面部
３        装置ケース
３１      下側ケース
３１３    外側突出部
３２      上側ケース
３２２    下側突出部
４        カバー部材
４３      係止部
４４      ケース係合部
４４１    内側係合部
４４２    上側係合部
５        底面部
【図１】
0004434160.tif 000002
【図２】
0004434160.tif 000003
【図３】
0004434160.tif 000004
【図４】
0004434160.tif 000005
【図５】
0004434160.tif 000006
【図６】
0004434160.tif 000007
【図７】
0004434160.tif 000008
【図８】
0004434160.tif 000009
【図９】
0004434160.tif 000010